(57)【特許請求の範囲】
【請求項１】
表示部と、
前記表示部の表示方向に向けて撮像する撮像部と、
画像を表す画像情報を記憶する画像情報記憶部と、
前記画像情報記憶部に記憶されていない前記画像情報と異なる情報を入力する情報入力部と、
前記情報入力部が入力した前記情報の再生が開始される再生開始タイミングを決定する決定部と、
前記画像情報記憶部に記憶されている前記画像情報で表される前記画像を前記表示部で表示するタイミングの前及び後の少なくとも一方である、前記決定部で決定された再生開始タイミングになると、前記情報入力部で入力された前記情報を再生する再生制御部と、
前記情報入力部で入力された前記情報を伝えるユーザを指定するユーザ指定部と、
前記ユーザ指定部で指定したユーザを検出するユーザ検出部と、を備え、
前記情報入力部が入力する前記情報は、前記撮像部が撮像した撮像画像を表す情報を含み、
前記決定部は、前記ユーザ検出部が前記ユーザを検出してから所定時間以内のタイミングを、前記撮像部が撮像した撮像画像を表す情報を前記表示部で再生する前記再生開始タイミングとし、
前記再生制御部は、前記決定部で決定された再生開始タイミングになると、前記撮像部が撮像した撮像画像を表す情報を前記表示部で再生する、
ことを特徴とする画像表示装置。
【請求項２】
表示部と、
伝言音声を収集する音声収集部と、
前記音声収集部が収集した伝言音声を表す音声情報を出力する音声出力部と、
画像を表す画像情報を記憶する画像情報記憶部と、
前記画像情報記憶部に記憶されていない前記画像情報と異なる情報を入力する情報入力部と、
前記情報入力部が入力した前記情報の再生が開始される再生開始タイミングを決定する決定部と、
前記画像情報記憶部に記憶されている前記画像情報で表される前記画像を前記表示部で表示するタイミングの前及び後の少なくとも一方である、前記決定部で決定された再生開始タイミングになると、前記情報入力部で入力された前記情報を再生する再生制御部と、
前記情報入力部で入力された前記情報を伝えるユーザを指定するユーザ指定部と、
前記ユーザ指定部で指定したユーザを検出するユーザ検出部と、を備え、
前記情報入力部が入力する前記情報は、前記音声収集部が収集した伝言音声を表す音声情報を含み、
前記決定部は、前記ユーザ検出部が前記ユーザを検出してから所定時間以内のタイミングを、前記音声収集部が収集した伝言音声を表す音声情報を前記音声出力部で再生する前記再生開始タイミングとし、
前記再生制御部は、前記決定部で決定された再生開始タイミングになると、前記音声収集部が収集した伝言音声を前記音声出力部で再生する、
ことを特徴とする画像表示装置。
【請求項３】
表示部と、
前記表示部の表示方向に向けて撮像する撮像部と、
前記撮像部が撮像を行う間、伝言音声を収集する音声収集部と、
前記音声収集部が収集した伝言音声を表す音声情報を出力する音声出力部と、
画像を表す画像情報を記憶する画像情報記憶部と、
前記画像情報記憶部に記憶されていない前記画像情報と異なる情報を入力する情報入力部と、
前記情報入力部が入力した前記情報の再生が開始される再生開始タイミングを決定する決定部と、
前記画像情報記憶部に記憶されている前記画像情報で表される前記画像を前記表示部で表示するタイミングの前及び後の少なくとも一方である、前記決定部で決定された再生開始タイミングになると、前記情報入力部で入力された前記情報を再生する再生制御部と、
前記情報入力部で入力された前記情報を伝えるユーザを指定するユーザ指定部と、
前記ユーザ指定部で指定したユーザを検出するユーザ検出部と、を備え、
前記決定部は、前記ユーザ検出部が前記ユーザを検出してから所定時間以内のタイミングを、前記再生開始タイミングとし、
前記情報入力部は、前記音声収集部が収集した音声を表す音声情報と、前記音声が収集されている間において前記撮像部で撮像された撮像画像を表す情報を、前記情報として入力し、
前記再生制御部は、前記決定部で決定された再生開始タイミングになると、前記撮像部が撮像した撮像画像を表す情報を前記表示部で再生し、前記音声収集部が収集した伝言音声を前記音声出力部で再生する、
ことを特徴とする画像表示装置。
【請求項４】
表示部と、
前記表示部の表示方向に向けて撮像する撮像部と、
画像を表す画像情報を記憶する画像情報記憶部と、
前記画像情報記憶部に記憶されていない前記画像情報と異なる情報を入力する情報入力部と、
前記情報入力部が入力した前記情報の再生が開始される再生開始タイミングを決定する決定部と、
前記画像情報記憶部に記憶されている前記画像情報で表される前記画像を前記表示部で表示するタイミングの前及び後の少なくとも一方である、前記決定部で決定された再生開始タイミングになると、前記情報入力部で入力された前記情報を再生する再生制御部と、
前記情報入力部で入力された前記情報を伝えるユーザを指定するユーザ指定部と、
前記ユーザ指定部で指定したユーザを検出するユーザ検出部と、
前記ユーザを識別するユーザ識別情報と、当該ユーザの予定を表す予定情報と、当該予定の開始日時を表す開始日時情報と、を対応付けて記憶する予定情報記憶部と、
前記予定情報記憶部に記憶された予定情報で表される予定を表す予定画像を生成する予定画像生成部と、を備え、
前記情報入力部は、前記予定情報記憶部から、当該予定を実行するユーザのユーザ識別情報と、当該予定の開始日時を表す開始日時情報と、を入力し、前記予定画像生成部から、当該予定を表す予定画像の画像情報を入力し、
前記決定部は、前記予定の開始日時から第一時間前までのタイミングであって、前記撮像部で撮像された撮像画像から前記予定を実行するユーザが検出されてから第二時間以内のタイミングを前記予定画像の再生開始タイミングとし、前記予定画像を再生する頻度を、前記予定画像の再生日時が前記予定の開始日時よりも前であり、当該再生日時が当該予定の開始日時に近いほど高く決定する、
ことを特徴とする画像表示装置。
【請求項５】
表示部と、
画像を表す画像情報を記憶する画像情報記憶部と、
前記画像情報記憶部に記憶されていない前記画像情報と異なる情報を入力する情報入力部と、
前記情報入力部が入力した前記情報の再生が開始される再生開始タイミングを決定する決定部と、
前記画像情報記憶部に記憶されている前記画像情報で表される前記画像を前記表示部で表示するタイミングの前及び後の少なくとも一方である、前記決定部で決定された再生開始タイミングになると、前記情報入力部で入力された前記情報を再生する再生制御部と、を備え、
前記情報入力部は、インターフォン又は防犯装置から、前記インターフォン又は前記防犯装置が撮像した撮像画像を表す画像情報を入力し、
前記決定部は、前記撮像画像の再生開始タイミングを、前記情報入力部で入力された撮像日時情報で表される撮像日時から所定時間以内のタイミングとし、前記表示部による前記撮像画像の再生日時が、前記情報入力部で入力された撮像日時情報で表される撮像日時から遠くなるほど当該撮像画像が再生される頻度を低く決定する、
ことを特徴とする画像表示装置。
【請求項６】
表示部と、
前記表示部の表示方向に向けて撮像する撮像部と、
画像を表す画像情報を記憶する画像情報記憶部と、
前記画像情報記憶部に記憶されていない前記画像情報と異なる情報を入力する情報入力部と、
前記情報入力部が入力した前記情報の再生が開始される再生開始タイミングを決定する決定部と、
前記画像情報記憶部に記憶されている前記画像情報で表される前記画像を前記表示部で表示するタイミングの前及び後の少なくとも一方である、前記決定部で決定された再生開始タイミングになると、前記情報入力部で入力された前記情報を再生する再生制御部と、
前記情報入力部で入力された前記情報を伝えるユーザを指定するユーザ指定部と、
前記ユーザ指定部で指定したユーザを検出するユーザ検出部と、を備え、
前記情報入力部は、サーバから受信された画像情報と、前記画像情報を識別する画像識別情報とを入力し、
前記表示部が前記受信画像を表示している間に前記撮像部で撮像された撮像画像から前記ユーザ検出部がユーザを検出した検出回数に基づいて当該受信画像の評価を決定し、当該決定された評価を表す評価情報と、前記受信画像を識別する画像識別情報と、を前記サーバへ送信する送信部をさらに備え、
前記決定部は、前記検出回数が高いほど前記受信画像が再生される頻度を高く決定する、
ことを特徴とする画像表示装置。
【請求項７】
前記表示部の表示方向に向けて撮像する撮像部を備え、
前記ユーザ検出部は、前記撮像部が撮像した撮像画像から前記ユーザ指定部で指定したユーザを検出することを特徴とする請求項２に記載の画像表示装置。
【請求項８】
前記ユーザ検出部は、前記撮像部が撮像した撮像画像から前記ユーザ指定部で指定したユーザを検出することを特徴とする請求項１、３、４、及び６の何れか一項に記載の画像表示装置。
【請求項９】
表示部と前記表示部の表示方向に向けて撮像する撮像部と画像を表す画像情報を記憶する画像情報記憶部を備えたコンピュータを、
前記画像情報記憶部に記憶されていない前記画像情報と異なる情報を入力する情報入力部、
前記情報入力部が入力した前記情報の再生が開始される再生開始タイミングを決定する決定部、
前記画像情報記憶部に記憶されている前記画像情報で表される前記画像を前記表示部で表示するタイミングの前及び後の少なくとも一方である、前記決定部で決定された再生開始タイミングになると、前記情報入力部で入力された前記情報を再生する再生制御部、
前記情報入力部で入力された前記情報を伝えるユーザを指定するユーザ指定部、
前記ユーザ指定部で指定したユーザを検出するユーザ検出部、として機能させ、
前記情報入力部が入力する前記情報は、前記撮像部が撮像した撮像画像を表す情報を含み、
前記決定部は、前記ユーザ検出部が前記ユーザを検出してから所定時間以内のタイミングを、前記撮像部が撮像した撮像画像を表す情報を前記表示部で再生する前記再生開始タイミングとし、
前記再生制御部は、前記決定部で決定された再生開始タイミングになると、前記撮像部が撮像した撮像画像を表す情報を前記表示部で再生する、
ように機能することを特徴とする画像表示プログラム。
【請求項１０】
表示部と前記表示部の表示方向に向けて撮像する撮像部と画像を表す画像情報を記憶する画像情報記憶部を備えた画像表示装置の画像表示方法であって、
前記画像情報記憶部に記憶されていない前記画像情報と異なる情報を入力する情報入力ステップと、
前記情報入力ステップが入力した前記情報の再生が開始される再生開始タイミングを決定する決定ステップと、
前記画像情報記憶部に記憶されている前記画像情報で表される前記画像を前記表示部で表示するタイミングの前及び後の少なくとも一方である、前記決定ステップで決定された再生開始タイミングになると、前記情報入力ステップで入力された前記情報を再生する再生制御ステップと、
前記情報入力ステップで入力された前記情報を伝えるユーザを指定するユーザ指定ステップと、
前記ユーザ指定ステップで指定したユーザを検出するユーザ検出ステップと、を含み、
前記情報入力ステップで入力する前記情報は、前記撮像部が撮像した撮像画像を表す情報を含み、
前記決定ステップは、前記ユーザ検出ステップが前記ユーザを検出してから所定時間以内のタイミングを、前記撮像部が撮像した撮像画像を表す情報を前記表示部で再生する前記再生開始タイミングとし、
前記再生制御ステップは、前記決定ステップで決定された再生開始タイミングになると、前記撮像部が撮像した撮像画像を表す情報を前記表示部で再生する、
ことを特徴とする画像表示方法。
【発明の詳細な説明】
【技術分野】
【０００１】
本発明は、画像表示装置、画像表示プログラム、及び画像表示方法に関する。
【背景技術】
【０００２】
従来から、撮像日時に対応付けて記憶された複数の画像の内で、現在日時から所定期間内の撮像日時と対応付けられた複数画像をスライドショー形式で再生表示する画像再生装置が知られている（例えば、特許文献１）。
【先行技術文献】
【特許文献】
【０００３】
【特許文献１】特開２００６−５４７３６号公報
【発明の概要】
【発明が解決しようとする課題】
【０００４】
ここで、特許文献１の画像再生装置では、予め記憶された画像が表示され続けるので、画像の表示が単調であるという問題があった。
【０００５】
本発明は、このような点に鑑みてなされたものであり、その目的とするところは、画像の表示が単調になることを従来よりも防止できる画像表示装置、画像表示プログラム、及び画像表示方法を提供することにある。
【課題を解決するための手段】
【０００６】
上記目的を達成するため、本発明に係る画像表示装置は、
表示部と、
前記表示部の表示方向に向けて撮像する撮像部と、
画像を表す画像情報を記憶する画像情報記憶部と、
前記画像情報記憶部に記憶されていない前記画像情報と異なる情報を入力する情報入力部と、
前記情報入力部が入力した前記情報の再生が開始される再生開始タイミングを決定する決定部と、
前記画像情報記憶部に記憶されている前記画像情報で表される前記画像を前記表示部で表示するタイミングの前及び後の少なくとも一方である、前記決定部で決定された再生開始タイミングになると、前記情報入力部で入力された前記情報を再生する再生制御部と、
前記情報入力部で入力された前記情報を伝えるユーザを指定するユーザ指定部と、
前記ユーザ指定部で指定したユーザを検出するユーザ検出部と、を備え、
前記情報入力部が入力する前記情報は、前記撮像部が撮像した撮像画像を表す情報を含み、
前記決定部は、前記ユーザ検出部が前記ユーザを検出してから所定時間以内のタイミングを、前記撮像部が撮像した撮像画像を表す情報を前記表示部で再生する前記再生開始タイミングとし、
前記再生制御部は、前記決定部で決定された再生開始タイミングになると、前記撮像部が撮像した撮像画像を表す情報を前記表示部で再生する、
ことを特徴とする。
【発明の効果】
【０００７】
本発明の画像表示装置、画像表示プログラム、及び画像表示方法によれば、画像の表示が単調になることを従来よりも防止できる。
【図面の簡単な説明】
【０００８】
【図１】本発明の実施形態１に係る画像表示装置の一例を示す斜視図である。
【図２】画像表示装置の一構成例を表すハードウェア構成図である。
【図３】画像表示装置が実行する伝言保存処理の一例を表すフローチャートである。
【図４】実施形態１の画像表示装置が有する機能の一例を表す機能ブロック図である。
【図５】画像表示装置が記憶する伝言テーブルの一例を表す図である。
【図６】画像表示装置が実行する宛先ユーザ検出処理の一例を表すフローチャートである。
【図７】画像表示装置が記憶するユーザテーブルの一例を表す図である。
【図８】画像表示装置が実行する第１決定処理の一例を表すフローチャートである。
【図９】画像表示装置が実行する画像表示処理の一例を表すフローチャートである。
【図１０】画像表示装置が記憶する予定テーブルの一例を表す図である。
【図１１】画像表示装置が実行する予定実行ユーザ検出処理の一例を表すフローチャートである。
【図１２】画像表示装置が実行する第２決定処理の一例を表すフローチャートである。
【図１３】本発明の実施形態２に係る画像表示装置で構成される画像表示システムの一例を示す図である。
【図１４】実施形態２の画像表示装置が有する機能の一例を表す機能ブロック図である。
【図１５】画像表示装置が実行する第３決定処理の一例を表すフローチャートである。
【図１６】本発明の実施形態３に係る画像表示装置で構成される画像表示システムの一例を示す図である。
【図１７】画像表示装置が記憶するアップロード画像テーブルの一例を表す図である。
【図１８】実施形態３の画像表示装置が有する機能の一例を表す機能ブロック図である。
【図１９】画像表示装置が記憶する受信画像テーブルの一例を表す図である。
【図２０】画像表示装置が実行する第４決定処理の一例を表すフローチャートである。
【図２１】実施形態３の画像表示装置が実行するユーザ検出処理の一例を表すフローチャートである。
【図２２】実施形態４の画像表示装置が有する機能の一例を表す機能ブロック図である。
【図２３】画像表示装置が記憶する視聴者層テーブルの一例を表す図である。
【図２４】実施形態４の画像表示装置が実行するユーザ検出処理の一例を表すフローチャートである。
【図２５】画像表示装置が実行する第５決定処理の一例を表すフローチャートである。
【図２６】画像表示装置が記憶するアプリケーションテーブルの一例を表す図である。
【図２７】実施形態５の画像表示装置が有する機能の一例を表す機能ブロック図である。
【図２８】画像表示装置が記憶するアプリケーション画像テーブルの一例を表す図である。
【発明を実施するための形態】
【０００９】
（実施形態１）
以下、本発明の実施形態１に係る画像表示装置１００について、添付図面を参照しつつ説明する。
【００１０】
画像表示装置１００は、図１に示すような、画像を表示するＬＣＤ（Liquid Crystal Display）１００ｈと、ＬＣＤ１００ｈの表示方向Ｐｓに略平行な方向Ｐｃを撮像するＣＭＯＳ（Complementary Metal Oxide Semiconductor）センサ１００ｋと、スピーカ１００ｊと、マイクロフォン（以下、マイクという）１００ｌとを正面に備えるデジタルフォトフレームである。尚、スピーカ１００ｊ、及びマイク１００ｌは、背面又は側面に搭載されても良い。画像表示装置１００は、記憶している複数の画像情報でそれぞれ表される画像を順次表示するスライドショーを実行する。
【００１１】
画像表示装置１００は、図１のＬＣＤ１００ｈ、スピーカ１００ｊ、及びＣＭＯＳセンサ１００ｋと、図２に示すようなバス１００ｚで互いに接続されたＣＰＵ（Central Processing Unit）１００ａ、ＲＯＭ（Read Only Memory）１００ｂ、ＲＡＭ（Random Access Memory）１００ｃ、ハードディスク１００ｄ、メディアコントローラ１００ｅ、無線ＬＡＮカード（Local Area Network）１００ｆ、ビデオカード１００ｇ、及び操作ボタン１００ｉで構成される。
【００１２】
ＣＰＵ１００ａは、ＲＯＭ１００ｂ又はハードディスク１００ｄに保存されたプログラムに従ってソフトウェア処理を実行することで、画像表示装置１００の全体制御を行う。ＲＡＭ１００ｃは、ＣＰＵ１００ａによるプログラムの実行時において、処理対象とする情報（つまり、データ）を一時的に記憶する。
【００１３】
ハードディスク１００ｄは、各種の情報（つまり、データ）を保存した表（つまり、テーブル）を記憶する。尚、画像表示装置１００は、ハードディスク１００ｄの代わりに、フラッシュメモリを備えても良い。
【００１４】
メディアコントローラ１００ｅは、フラッシュメモリ、ＣＤ（Compact Disc）、ＤＶＤ（Digital Versatile Disc）、及びブルーレイディスク（Blu-ray Disc）（登録商標）等を含む記録媒体から各種のデータ及びプログラムを読み出す。
【００１５】
無線ＬＡＮカード１００ｆは、不図示の通信網を介して接続する各種装置との間で各種情報を無線通信する。操作ボタン１００ｉは、ユーザの操作に応じた信号又は情報を入力する。
【００１６】
ビデオカード１００ｇは、ＣＰＵ１００ａから出力されたデジタル信号に基づいて画像を描画（つまり、レンダリング）すると共に、描画された画像を表す画像信号を出力する。ＬＣＤ１００ｈは、ビデオカード１００ｇから出力された画像信号に従って画像を表示する。尚、画像表示装置１００は、ＬＣＤ１００ｈの代わりに、ＰＤＰ（Plasma Display Panel）又はＥＬ（Electroluminescence）ディスプレイを備えても良い。スピーカ１００ｊは、ＣＰＵ１００ａから出力された信号に基づいて音声を出力する。マイク１００ｌは、音声を収集し、収集した音声を表す電気信号をＣＰＵ１００ａへ入力する。
【００１７】
先ず、画像表示装置１００が、伝言を話す様子を撮像した撮像画像（以下、伝言画像という）を、スライドショーの実行中に表示するための処理について説明する。
【００１８】
ＣＰＵ１００ａは、図２のハードウェアを用いて、図３に示すような伝言保存処理を実行することで、図４に示すような情報入力部１０３として機能する。また、ＣＰＵ１００ａは、図２のＣＭＯＳセンサ１００ｋと協働することで、図４の撮像部１０２として機能し、マイク１００ｌと協働することで音声収集部１０１として機能し、ハードディスク１００ｄ又はメディアコントローラ１００ｅによって情報の読み書きが行われる記録媒体と協働することで、一時記憶部１０４として機能する。
【００１９】
一時記憶部１０４は、図５に示すような伝言テーブルを記憶している。この伝言テーブルには、伝言を聞かせる相手（以下、伝言の宛先という）として指定されたユーザを識別する情報（以下、宛先ユーザＩＤという）と、当該ユーザを指定したユーザが当該伝言を話す様子を撮像した撮像画像（つまり、伝言画像）を表す情報（以下、伝言画像情報という）と、伝言を伝える音声（以下、伝言音声という）を表す情報（以下、伝言音声情報という）とが対応付けられて保存されている。
【００２０】
ＣＰＵ１００ａは、ユーザに操作された操作ボタン１００ｉによって伝言の保存を開始するように命じる信号を入力されると、当該信号に従って図３の伝言保存処理を開始する。伝言保存処理を開始すると、図４の情報入力部１０３は、宛先ユーザＩＤを、ユーザに操作された操作ボタン１００ｉから入力する（ステップＳ０１）。次に、撮像部１０２は、伝言を話すユーザの撮像を開始し、当該ユーザの伝言画像を表す画像情報（つまり、伝言画像情報）の出力を開始する。このため、情報入力部１０３へ画像情報を出力する撮像部１０２は、画像出力部ＯＴと称される。
【００２１】
次に、情報入力部１０３は、撮像部１０２から出力される画像情報を入力する（ステップＳ０２）。さらに、音声収集部１０１は、当該ユーザの伝言音声を収集し、収集した伝言音声を表す音声情報の出力を開始する。また、情報入力部１０３は、音声収集部１０１から出力される音声情報を入力する（ステップＳ０３）。その後、撮像部１０２が撮像を終了すると、音声収集部１０１は、音声の収集を終了する。次に、情報入力部１０３は、図５の伝言テーブルへ、入力された宛先ユーザＩＤと、伝言画像情報と、伝言音声情報と、を対応付けて保存した後に（ステップＳ０４）、伝言保存処理の実行を終了する。
【００２２】
伝言保存処理の実行が終了すると、ＣＰＵ１００ａは、図２のハードウェアを用いて、図６に示すような宛先ユーザ検出処理を実行することで、図４に示すようなユーザ検出部１０５として機能する。また、ＣＰＵ１００ａは、ハードディスク１００ｄ又はメディアコントローラ１００ｅによって情報の読み書きが行われる記録媒体と協働することで、ユーザ情報記憶部１０６として機能する。
【００２３】
ユーザ情報記憶部１０６は、図７に示すようなユーザテーブルを記憶している。このユーザテーブルには、ユーザを識別するユーザＩＤと、当該ユーザの特徴を表す特徴情報とが対応付けられて保存されている。尚、ユーザの特徴は、当該ユーザを表す画像に対して公知の解析処理を実行することで特定され、例えば、肌の色、髪の色、又は顔に対する目、鼻、若しくは口の位置、大きさ、若しくは形状を表す情報で表される。
【００２４】
図６の宛先ユーザ検出処理を開始すると、図４のユーザ検出部１０５は、情報入力部１０３から宛先ユーザＩＤを取得する（ステップＳ１１）。次に、ユーザ検出部１０５は、図７のユーザテーブルから、入力された宛先ユーザＩＤと同じユーザＩＤに対応付けて保存された特徴情報を取得する（ステップＳ１２）。その後、撮像部１０２は撮像を開始し、情報入力部１０３は、撮像部１０２から撮像画像を表す画像情報（以下、撮像画像情報という）を入力する（ステップＳ１３）。
【００２５】
次に、ユーザ検出部１０５は、入力された撮像画像情報で表される撮像画像に対して公知のユーザ領域検出処理と公知のユーザ識別処理とを実行する（ステップＳ１４）。次に、ユーザ検出部１０５は、ステップＳ０１で入力された宛先ユーザＩＤで識別される宛先ユーザが、ステップＳ１３で入力された情報で表される撮像画像から検出されたか否かを判別する（ステップＳ１５）。具体的には、ユーザ検出部１０５は、公知のユーザ領域検出処理の実行によって、撮像画像からユーザが表された領域（以下、ユーザ領域という）が検出されたか否かを判別する。このとき、ユーザ検出部１０５は、ユーザ領域が検出されなかったと判別した場合には、宛先ユーザが検出されなかったと判別する。これに対して、ユーザ検出部１０５は、撮像画像からユーザ領域が検出されたと判別すると、当該検出されたユーザ領域における部分画像を解析することで当該ユーザの特徴を表す特徴情報を取得する。その後、ユーザ検出部１０５は、図７のユーザテーブルから、ユーザ領域の部分画像から取得した特徴情報と対応付けられたユーザＩＤを取得し、取得したユーザＩＤがステップＳ０１で入力された宛先ユーザＩＤと一致する否かを判別する。このとき、ユーザ検出部１０５は、ユーザＩＤが一致しないと判別すると、撮像画像から宛先ユーザが検出されなかったと判別する。これに対して、ユーザ検出部１０５は、ユーザＩＤが一致したと判別すると、撮像画像から宛先ユーザが検出されたと判別する。
【００２６】
図６のステップＳ１５において、ユーザ検出部１０５は、撮像画像から宛先ユーザが検出されなかったと判別すると（ステップＳ１５；Ｎｏ）、ステップＳ１３に戻り上記処理を繰り返す。これに対して、ユーザ検出部１０５は、撮像画像から宛先ユーザが検出されたと判別すると（ステップＳ１５；Ｙｅｓ）、宛先ユーザが検出されたことを、図４の決定部１０７へ報告した後に（ステップＳ１６）、ステップＳ１３に戻り上記処理を繰り返す。具体的には、ユーザ検出部１０５は、決定部１０７と共同で使用する共有メモリにおけるフラグを用いて宛先ユーザの検出を決定部１０７へ報告しても良いし、パイプラインを用いても良い。
【００２７】
また伝言保存処理の実行が終了すると、図２のＣＰＵ１００ａは、画像情報を出力した出力先（つまり、画像出力部ＯＴ）に応じて、当該画像情報で表される画像の表示を開始するタイミング（以下、表示開始タイミングという）を決定する処理を選択し、当該選択した処理を実行する。ここでは、ＣＰＵ１００ａは、図２のハードウェアを用いて、撮像部１０２から出力された伝言画像の表示開始タイミングを決定する、図８に示すような第１決定処理を実行する。これにより、ＣＰＵ１００ａは、図４に示すような決定部１０７として機能する。
【００２８】
図８の第１決定処理を開始すると、図４の決定部１０７は、ユーザ検出部１０５から宛先ユーザの検出を報告されたか否かを判別する（ステップＳ２１）。このとき、決定部１０７は、宛先ユーザの検出を報告されなかったと判別すると（ステップＳ２１；Ｎｏ）、ユーザに操作された操作ボタン１００ｉから、伝言の読み出しを開始するように指示する信号（以下、伝言読出開始指示信号という）を取得したか否かを判別する（ステップＳ２２）。このとき、決定部１０７は、伝言読出開始指示信号を取得しなかったと判別すると（ステップＳ２２；Ｎｏ）、ステップＳ２１に戻り上記処理を繰り返す。
【００２９】
ステップＳ２１において、決定部１０７が、宛先ユーザの検出を報告されたと判別した場合（ステップＳ２１；Ｙｅｓ）、又はステップＳ２２において、伝言読出開始指示信号を取得したと判別した場合には（ステップＳ２２；Ｙｅｓ）、例えば、ＯＳ（Operating System）からシステム日時を取得し、取得したシステム日時から、所定時間以内のタイミングを表示開始タイミングとし、この表示開始タイミングを次回に伝言画像が表示されるタイミング（以下、表示タイミングという）とする（ステップＳ２３）。
【００３０】
尚、ステップＳ２３で用いられる所定時間を表す情報は、図２のハードディスク１００ｄなどに予め記憶されている。本実施形態において、ステップＳ２３で用いられる所定時間は、伝言画像の表示用に予め定められた時間であり、例えば、「１」秒であるとして説明するが、これに限定される訳ではなく、当業者は、より好適な値を実験により定めることができる。
【００３１】
次に、決定部１０７は、ユーザに操作された操作ボタン１００ｉから、伝言の読み出しを終了するように指示する信号（以下、伝言読出終了指示信号という）を取得したか否かを判別する（ステップＳ２４）。このとき、決定部１０７は、伝言読出終了指示信号を取得しなかったと判別すると（ステップＳ２４；Ｎｏ）、システム日時を再度取得する。次に、決定部１０７は、システム日時に基づいて、ステップＳ２３又は以降のステップＳ２６で既に決められた表示タイミングが到来したか否かを判別する（ステップＳ２５）。このとき、決定部１０７は、表示タイミングが到来していないと判別すると（ステップＳ２５；Ｎｏ）、ステップＳ２４に戻り上記処理を繰り返す。これに対して、決定部１０７は、表示タイミングが到来したと判別すると（ステップＳ２５；Ｙｅｓ）、表示タイミングを、システム日時から所定の間欠時間後（又は間欠時間前）のタイミングとした後に（ステップＳ２６）、ステップＳ２４に戻り上記処理を繰り返す。
【００３２】
尚、ステップＳ２５で用いられる間欠時間を表す情報は、図２のハードディスク１００ｄなどに予め記憶されている。本実施形態において、ステップＳ２３で用いられる間欠時間は、伝言用に予め定められた時間であり、例えば、「１０」秒であるとして説明するが、これに限定される訳ではなく、当業者は、より好適な値を実験により定めることができる。
【００３３】
ステップＳ２４において、決定部１０７は、伝言読出終了指示信号を取得したと判別すると（ステップＳ２４；Ｙｅｓ）、図５の伝言テーブルに保存された情報を削除した後に第１決定処理を終了する。
【００３４】
画像表示装置１００が起動すると（つまり、電源ＯＮされると）、図２のＣＰＵ１００ａは、図９に示すような画像表示処理を実行することで、図４に示すような情報取得部１０９、表示部１１０、及び音声出力部１１１として機能する。また、ＣＰＵ１００ａは、ハードディスク１００ｄ又はメディアコントローラ１００ｅによって情報の読み書きが行われる記録媒体と協働することで、画像情報記憶部１０８として機能する。
【００３５】
図９の画像表示処理を開始すると、図４の情報取得部１０９は、画像情報記憶部１０８から複数の画像情報を取得する（ステップＳ３１）。次に、情報取得部１０９は、取得した複数の画像情報でそれぞれ表される画像を、スライドショーされる画像（つまり、スライドショーの対象）と決定する（ステップＳ３２）。
【００３６】
その後、表示部１１０は、システム日時を取得し、取得したシステム日時が、図８のステップＳ２３又はステップＳ２６で決定された表示タイミングが到来したか否かを判別する（ステップＳ３３）。このとき、表示部１１０は、表示タイミングが到来していないと判別すると（ステップＳ３３；Ｎｏ）、スライドショーの対象とされた画像からランダムに１枚の画像を選択し、選択した画像を表示する（つまり、スライドショーを行う）（ステップＳ３４）。その後、ステップＳ３３から上記処理が繰り返される。
【００３７】
ステップＳ３３において、表示部１１０は、表示タイミングが到来したと判別すると（ステップＳ３３；Ｙｅｓ）、図５の伝言テーブルに保存された伝言画像情報を読み出し、読み出した情報で表される伝言画像（つまり、撮像画像）を表示部１１０に表示する（ステップＳ３５）。また、図４の音声出力部１１１は、図５の伝言テーブルに当該伝言画像の画像情報（つまり、伝言画像情報）と対応付けて保存された伝言音声情報を読み出し、伝言画像が表示されている間、読み出された情報で表される伝言音声を出力する（ステップＳ３６）。その後、ステップＳ３３に戻り上記処理が繰り返される。
【００３８】
これらの構成によれば、画像情報記憶部１０８に記憶された複数の画像情報で表される画像を順次表示するスライドショーが実行されると、スライドショーされる画像と異なる撮像画像が、当該撮像画像の出力元（つまり、図４の画像出力部ＯＴ）に応じて決定された表示開始タイミングから間欠的に表示される。このため、画像の表示が単調になることを従来よりも防止できる。
【００３９】
またこれらの構成によれば、画像が表示される方向を撮像した画像から、撮像画像の表示先として指定された宛先ユーザが検出されてから所定時間以内に当該撮像画像が表示される。このため、表示先として指定された宛先ユーザに対して当該撮像画像を確実に表示できる。またスライドショーが行われると、スライドショーを視ているユーザに対して、当該ユーザを表示先として指定された撮像画像が表示されるので、ユーザに対して新鮮味や感動を与え、画像の表示が単調になることを防止できる。
【００４０】
さらにこれらの構成によれば、画像が表示される方向を撮像した画像から、伝言を聞かせる相手として指定された宛先ユーザが検出されると当該伝言が出力され、かつ当該伝言の収集時に撮像された画像が表示される。このため、伝言を聞かせる相手として指定されたユーザに対して当該音声を従来よりも確実に聞かせることができるだけでなく、当該伝言の収集時に撮像された画像をも当該ユーザに表示できる。また、画像が表示される方向にユーザが位置すれば、ユーザに宛てた伝言が出力され、当該伝言の収集中に撮像された画像が表示される場合があるので、表示される画像を見る動機をユーザに与えることができる。
【００４１】
尚、本実施形態の第１決定処理において、決定部１０７は、間欠時間を、表示タイミングが到来する毎（つまり、撮像画像が表示される毎）に長くしても良い。一度伝言を聞いたユーザは、当該伝言に対して興味を失うことが多いが、一度で伝言を覚えられなかった場合や忘れてしまった場合には、ユーザは、再度伝言を聞きたく思う場合が多い。このため、この構成によれば、伝言の出力回数と撮像画像の表示回数が増加するにつれて伝言の出力頻度と撮像画像の表示頻度とが低下するので、既にユーザが興味を失った撮像画像の表示や伝言の出力を防止しながら、ユーザが伝言を覚えられなかったり忘れたりすることを防止できる。
【００４２】
尚、画像表示装置１００は、伝言保存処理の実行を終了すると、伝言読出終了指示信号が入力されるまで、不図示のＬＥＤ（Light Emitting Diode）ランプを点滅させることで、伝言が有る（つまり、伝言音声情報が保存されている）ことを報知しても良い。
【００４３】
次に、画像表示装置１００が、ユーザの予定を表す画像（以下、予定画像という）を表示する場合において実行される処理について説明する。
【００４４】
ＣＰＵ１００ａは、図２のハードディスク１００ｄ又はメディアコントローラ１００ｅによって情報の読み書きが行われる記録媒体と協働することで、図４に示すような予定情報記憶部１１２として機能する。予定情報記憶部１１２は、図１０に示すような予定テーブルを記憶している。予定テーブルには、予定を実行するユーザ（以下、予定実行ユーザという）のユーザＩＤ（以下、予定実行ユーザＩＤという）と、当該予定を表す予定情報と、当該予定の開始日時を表す情報（以下、開始日時情報という）と、当該予定の終了日時を表す情報（以下、終了日時情報という）とが対応付けられて保存されている。
【００４５】
ＣＰＵ１００ａは、図１０の予定テーブルに保存された予定情報で表される予定を表す画像（以下、予定画像という）を生成する、不図示の予定画像生成処理を実行することで、図４に示す予定画像生成部１１３として機能する。この予定画像生成処理が開始されると、予定画像生成部１１３は、システム日時を取得した後に、図１０の予定テーブルから、取得されたシステム日時から第一時間後の日時までの開始時刻を表す開始時刻情報と、当該開始時刻情報に対応付けられた予定情報と、予定実行ユーザＩＤとを検索する。
【００４６】
尚、本実施形態において、第一時間を表す情報は、図２のハードディスク１００ｄなどに予め記憶されており、第一時間は、「３０」分であるとして説明するが、これに限定される訳ではなく、当業者は最適な値を実験により定めることができる。また、この第一時間は、ユーザによって指定されても良い。
【００４７】
その後、予定画像生成部１１３は、検索された予定情報で表される予定を表す予定画像を生成し、生成された予定画像を表す画像情報と、検索された予定実行ユーザＩＤと、当該予定の開始時刻を表す予定開始時刻情報とを、図４の情報入力部１０３へ出力した後に、不図示の予定画像生成処理の実行を終了する。このため、予定画像生成部１１３を、音声収集部１０１及び撮像部１０２と同様に、画像出力部ＯＴと称する。
【００４８】
その後、情報入力部１０３は、予定画像生成部１１３から出力された予定画像の画像情報と、予定実行ユーザＩＤと、予定開始時刻情報とを入力する。次に、情報入力部１０３は、入力した予定画像の画像情報を、図４の一時記憶部１０４へ一時的に保存し、予定実行ユーザＩＤと、予定開始時刻情報と、をユーザ検出部１０５へ出力する。これらの情報を入力するユーザ検出部１０５は、撮像部１０２が撮像した撮像画像から予定実行ユーザを検出する、図１１に示すような予定実行ユーザ検出処理を実行する。
【００４９】
図１１の予定実行ユーザ検出処理が開始されると、ユーザ検出部１０５は、情報入力部１０３から予定実行ユーザＩＤと、開始日時情報と、を取得する（ステップＳ４１）。次に、ユーザ検出部１０５は、図６のステップＳ１２と同様に、図７のユーザテーブルから、予定実行ユーザＩＤと同じユーザＩＤと対応付けた特徴情報を取得する（ステップＳ４２）。その後、ユーザ検出部１０５は、システム日時を取得し、取得したシステム日時に基づいて、開始日時情報で表される予定の開始時刻が到来したか否かを判別する（ステップＳ４３）。
【００５０】
ステップＳ４３において、ユーザ検出部１０５は、システム日時に基づいて予定の開始時刻が到来していないと判別すると（ステップＳ４３；Ｎｏ）、ステップＳ４１で取得された予定実行ユーザＩＤを用いて、図６のステップＳ１３からステップＳ１６と同様の処理を実行することで、撮像部１０２で撮像された撮像画像から予定実行ユーザを検出する処理を実行した後に（ステップＳ４４からステップＳ４７）、ステップＳ４３に戻り上記処理を繰り返す。
【００５１】
ステップＳ４３において、ユーザ検出部１０５は、システム日時に基づいて予定の開始時刻が経過したと判別すると（ステップＳ４３；Ｙｅｓ）、予定実行ユーザ検出処理の実行を終了する。
【００５２】
また、情報入力部１０３は、予定開始時刻情報を決定部１０７へ出力する。次に、図４の決定部１０７は、予定画像生成部１１３から出力された予定画像の表示開始タイミングを決定する、図１２に示すような第２決定処理を実行する。
【００５３】
図１２の第２決定処理を開始すると、図４の決定部１０７は、図８のステップＳ２１と同様に、ユーザ検出部１０５から予定実行ユーザの検出を報告されたか否かを判別する（ステップＳ５１）。このとき、決定部１０７は、予定実行ユーザの検出を報告されなかったと判別すると（ステップＳ５１；Ｎｏ）、システム日時を取得する。次に、決定部１０７は、取得したシステム日時に基づいて、情報入力部１０３から出力された開始日時情報で表される開始日時が到来したか否かを判別する（ステップＳ５２）。このとき、開始日時が経過していないと判別すると（ステップＳ５２；Ｎｏ）、ステップＳ５１から上記処理を繰り返す。これに対して、開始日時が経過したと判別すると（ステップＳ５２；Ｙｅｓ）、第２決定処理の実行を終了する。
【００５４】
ステップＳ５１において、決定部１０７が、予定実行ユーザの検出を報告されたと判別した場合に（ステップＳ５１；Ｙｅｓ）、図８のステップＳ２３と同様に、システム日時から所定時間以内のタイミングを表示開始タイミングとし、この表示開始タイミングを予定画像の次回の表示タイミングとする（ステップＳ５３）。
【００５５】
尚、ステップＳ５３で用いられる所定時間を表す情報は、図２のハードディスク１００ｄなどに予め記憶されている。本実施形態において、ステップＳ５３で用いられる所定時間は、予定画像の表示用に予め定められた時間であり、例えば、「１」秒であるとして説明するが、これに限定される訳ではなく、当業者は、より好適な値を実験により定めることができる。
【００５６】
ステップＳ５３の後に、決定部１０７は、ステップＳ５２と同様に、開始日時が到来したか否かを判別する（ステップＳ５４）。このとき、決定部１０７は、予定の開始日時が到来していないと判別すると（ステップＳ５４；Ｎｏ）、図８のステップＳ２５と同様の判定を行うことで、表示タイミングが到来したか否かを判別する（ステップＳ５５）。このとき、決定部１０７は、表示タイミングが到来していないと判別すると（ステップＳ５５；Ｎｏ）、ステップＳ５４に戻り上記処理を繰り返す。これに対して、決定部１０７は、表示タイミングが到来したと判別すると（ステップＳ５５；Ｙｅｓ）、間欠時間を表す値を格納した変数の値を、予め定められた予定画像用のデクリメント値だけデクリメントする（ステップＳ５６ａ）。時間の経過とともに、予定画像の表示頻度を上昇させるためである。
【００５７】
尚、間欠時間を表す値を格納した変数の値は、第２決定処理の開始時において、予め定められた予定画像用の間欠時間の初期値を表す値で初期化される。この予定画像用の間欠時間の初期値を表す情報と、予定画像用のデクリメント値を表す情報は、例えば、図２のハードディスク１００ｄに保存されている。本実施形態において、予定画像用の間欠時間の初期値は「７」分であり、予定画像用のデクリメント値は「１」分であるとして説明するが、これに限定される訳ではなく、当業者は、実験により最適な値を定めることができる。
【００５８】
その後、決定部１０７は、表示タイミングを、システム日時から上記変数の値で表される間欠時間後（又は間欠時間前）のタイミングとした後に（ステップＳ５６ｂ）、ステップＳ５４から上記処理を繰り返す。
【００５９】
ステップＳ５４において、決定部１０７は、システム日時に基づいて予定の開始日時が到来したと判別すると（ステップＳ５４；Ｙｅｓ）、図４の一時記憶部１０４に記憶された予定画像の画像情報を削除した後に第２決定処理を終了する。
【００６０】
これらの構成によれば、ある予定の開始日時の第一時間前から当該開始日時までの間に、予定画像が表示される方向を撮像した画像から当該予定を実行するユーザが検出されると当該予定画像が表示される。また、予定画像は予定の開始日時に近づくにつれてより高い頻度で表示される。このため、予定を実行するユーザに対して予定開始日時の前において従来よりも確実に当該予定を表す画像を表示できる一方で、当該予定を実行しないユーザに対して予定画像を表示することを従来よりも防止できる。また、画像が表示される方向にユーザが位置すれば、ユーザの予定を表す画像が表示されることがあるので、表示される画像を見る動機をユーザに与えることができる。
【００６１】
尚、画像表示装置１００は、通信網１０を介して、ユーザが使用する携帯電話などの端末装置から、当該ユーザのユーザＩＤ（つまり、予定実行ユーザＩＤ）、予定情報、予定開始日時情報、及び予定終了日時情報を受信し、受信した情報で、図１０の予定テーブルを更新しても良い。また、画像表示装置１００は、ユーザに操作された操作ボタン１００ｉから、予定実行ユーザＩＤ、予定情報、予定開始日時情報、及び予定終了日時情報を入力し、入力した情報で、図１０の予定テーブルを更新しても良い。
【００６２】
（実施形態２）
次に、本発明の実施形態２について説明する。本実施形態において、画像表示装置１００は、スライドショーの実行中に、インターフォン画像又はセキュリティ画像を表示する。
【００６３】
本発明の実施形態２に係る画像表示装置１００は、図１３に示すような画像表示システム１を構成する。画像表示システム１は、コンピュータ通信網１０（以下単に、通信網１０という）、画像表示装置１００、インターフォン２０１、及びセキュリティ装置２０２で構成されている。
【００６４】
通信網１０は、例えば、インタネットで構成される。通信網１０は、ＬＡＮ（Local Area Network）又は公衆回線網であっても良い。
【００６５】
インターフォン２０１は、画像表示装置１００が設置された建物に訪れた来訪者によって操作されると、例えば、ＣＭＯＳセンサなどで当該来訪者を撮像し、撮像した画像（以下、インターフォン画像という）を表す情報を、通信網１０を介して画像表示装置１００へ送信する。
【００６６】
セキュリティ装置２０２は、例えば、ドップラレーダなどを用いて、当該建物へ侵入した又は侵入を試みている移動体を検知すると、例えば、ＣＭＯＳセンサなどで当該侵入者を撮像する。その後、セキュリティ装置２０２は、インターフォン２０１と同様に、撮像された画像（以下、セキュリティ画像という）を表す情報を画像表示装置１００へ送信する。
【００６７】
実施形態２の画像表示装置１００は、図１４に示すような情報入力部１０３、一時記憶部１０４、ユーザ検出部１０５、決定部１０７、画像情報記憶部１０８、情報取得部１０９、及び表示部１１０で構成される。これらの機能部は、実施形態１で説明した機能部と同様であるので重複した説明を省略する。
【００６８】
画像表示装置１００のＣＰＵ１００ａは、図２の無線ＬＡＮカード１００ｆと協働することで、図１４の受信部１１４として機能する。受信部１１４は、図１の通信網１０を介して接続するインターフォン２０１から、インターフォン画像を表す画像情報を受信した後にシステム日時を取得し、取得した日時をインターフォン画像の撮像日時とする。その後、受信部１１４は、インターフォン画像の画像情報及び当該インターフォン画像の撮像日時を表す情報（以下、撮像日時情報という）を情報入力部１０３へ出力する。このため、受信部１１４を画像出力部ＯＴと称する。尚、図１４には、画像出力部ＯＴと称される受信部１１４のみが図示されているが、画像表示装置１００は、実施形態１で説明した撮像部１０２のような画像出力部ＯＴと称される他の機能部を備える。
【００６９】
インターフォン画像の画像情報と撮像日時情報とを受信部１１４が出力すると、情報入力部１０３は、受信部１１４からインターフォン画像の画像情報及び当該インターフォン画像の撮像日時情報を入力する。次に、情報入力部１０３は、入力したインターフォン画像の画像情報を、図１４の一時記憶部１０４へ一時的に保存し、撮像日時情報を決定部１０７へ出力する。
【００７０】
また、受信部１１４は、セキュリティ装置２０２からセキュリティ画像を受信した後にシステム日時を取得し、取得した日時をセキュリティ画像の撮像日時とする。その後、受信部１１４は、セキュリティ画像を表す画像情報及び当該セキュリティ画像の撮像日時情報を情報入力部１０３へ出力する。
【００７１】
その後、情報入力部１０３は、受信部１１４からセキュリティ画像の画像情報及び当該セキュリティ画像の撮像日時情報を入力する。次に、情報入力部１０３は、入力したセキュリティ画像の画像情報を、図１４の一時記憶部１０４へ一時的に保存し、撮像日時情報を決定部１０７へ出力する。
【００７２】
次に、図１４の決定部１０７は、受信部１１４から出力されたインターフォン画像又はセキュリティ画像の表示開始タイミングを決定する、図１５に示すような第３決定処理を実行する。
【００７３】
図１５の第３決定処理を開始すると、図１４の決定部１０７は、情報入力部１０３から出力された撮像日時情報で表される撮像日時から、所定時間以内のタイミングを表示開始タイミングとし、この表示開始タイミングを、インターフォン画像又はセキュリティ画像の次回の表示タイミングとする（ステップＳ６１）。
【００７４】
尚、ステップＳ６１で用いられる所定時間を表す情報は、図２のハードディスク１００ｄなどに予め記憶されておいる。ステップＳ６１で用いられる所定時間は、インターフォン画像又はセキュリティ画像の表示用に予め定められた時間であり、本実施形態において、例えば、「１」秒であるとして説明するが、これに限定される訳ではなく、当業者は、より好適な値を実験により定めることができる。
【００７５】
ステップＳ６１の後に、決定部１０７は、インターフォン画像又はセキュリティ画像の表示回数を表す値が格納された変数に基づいて、インターフォン画像又はセキュリティ画像を所定回数表示したか否かを判別する（ステップＳ６２）。この所定回数を表す情報は、図２のハードディスク１００ｄなどに予め記憶されており、本実施形態において、例えば、「１０」回であるとして説明するが、これに限定される訳ではなく、当業者は、より好適な値を実験により定めることができる。尚、表示回数を表す値が格納される変数は、第３決定処理の開始時に値「０」で初期化される。
【００７６】
ステップＳ６２において、決定部１０７は、インターフォン画像又はセキュリティ画像が所定回数表示されていないと判別すると（ステップＳ６２；Ｎｏ）、図８のステップＳ２５と同様に、表示タイミングが到来したか否かを判別する（ステップＳ６３）。このとき、決定部１０７は、表示タイミングが到来していないと判別すると（ステップＳ６３；Ｎｏ）、ステップＳ６２に戻り上記処理を繰り返す。これに対して、決定部１０７は、表示タイミングが到来したと判別すると（ステップＳ６３；Ｙｅｓ）、間欠時間を表す値を格納した変数の値を、予め定められたインクリメント値だけインクリメントする（ステップＳ６４ａ）。時間の経過とともに、予定画像の表示頻度を低下させるためである。
【００７７】
尚、ステップＳ６４ａで用いられる間欠時間を表す値を格納した変数の値は、第３決定処理の開始時において、予め定められたインターフォン画像及びセキュリティ画像用の間欠時間の初期値を表す値で初期化される。このインターフォン画像及びセキュリティ画像用の間欠時間の初期値を表す情報と、インターフォン画像及びセキュリティ画像用のインクリメント値を表す情報は、例えば、図２のハードディスク１００ｄに保存されている。本実施形態において、インターフォン画像及びセキュリティ画像用の間欠時間の初期値は「２０」秒であり、予定画像用のデクリメント値は「１０」秒であるとして説明するが、これに限定される訳ではなく、当業者は、実験により最適な値を定めることができる。
【００７８】
その後、決定部１０７は、表示タイミングを、システム日時から上記変数の値で表される間欠時間後（又は間欠時間前）のタイミングとした後に（ステップＳ６４ｂ）、ステップＳ６２に戻り上記処理を繰り返す。
【００７９】
ステップＳ６２において、決定部１０７は、インターフォン画像又はセキュリティ画像を所定回数表示したと判別すると（ステップＳ６２；Ｙｅｓ）、図１４の一時記憶部１０４に記憶されたインターフォン画像又はセキュリティ画像の画像情報を削除した後に第３決定処理を終了する。
【００８０】
画像表示装置１００が起動すると、図１４の表示部１１０は、図９と同様の処理を実行することで、画像情報記憶部１０８に記憶された複数の画像情報で表される画像の表示を開始する。この際、表示部１１０は、図１５の決定処理で決定された表示タイミングになると、インターフォン画像又はセキュリティ画像を表示する。
【００８１】
これらの構成によれば、インターフォン２０１が来訪者を撮像してから所定時間以内又はセキュリティ装置２０２が侵入者を撮像してから所定時間以内に、来訪者又は侵入者を撮像した撮像画像が表示される。また、撮像画像は、撮像日時から遠ざかるにつれてより表示される頻度が低くなる。このため、撮像された来訪者又は侵入者がいる可能性の高い間は撮像画像を高頻度で表示し、来訪者又は侵入者が立ち去った可能性が高くなると撮像画像を低頻度で表示できる。
【００８２】
（実施形態３）
次に、本発明の実施形態３について説明する。本実施形態において、画像表示装置１００は、サーバから受信した受信画像をスライドショーの実行中に表示する。
【００８３】
本発明の実施形態３に係る画像表示装置１００は、図１６に示すような画像表示システム１を構成する。この画像表示システム１は、通信網１０、画像表示装置１００、及びサーバ３００で構成されている。
【００８４】
サーバ３００は、ユーザにアップロードされた画像（以下、アップロード画像とい）を表す画像情報を複数記憶している。サーバ３００は、画像表示装置１００からのリクエストに応じて、アップロード画像の画像情報を返信する。
【００８５】
また、サーバ３００は、図１７に示すようなアップロード画像テーブルを記憶している。このアップロード画像テーブルには、アップロード画像を識別する情報（以下、アップロード画像ＩＤという）と、アップロード画像の画像情報（以下、アップロード画像情報という）と、当該アップロード画像をアップロードしたユーザのユーザＩＤ（以下、アップロードユーザＩＤという）と、当該ユーザのポイント数を表すポイント数情報と、当該アップロード画像の評価を表す評価情報とが対応付けられて保存されている。
【００８６】
尚、ユーザのポイント数とは、例えば、サービスや商品などと交換可能なポイントの数をいう。サーバ３００は、ポイント数の代わりに電子マネーの残高を表す情報を記憶していても良い。また、アップロード画像の評価は、アップロード画像の人気の高低で表される。本実施形態において、アップロード画像の人気は、アップロード画像をユーザが視認した回数が多い程高いとして説明する。
【００８７】
実施形態３の画像表示装置１００は、図１８に示すような撮像部１０２、情報入力部１０３、一時記憶部１０４、ユーザ検出部１０５、決定部１０７、画像情報記憶部１０８、情報取得部１０９、表示部１１０、及び受信部１１４で構成される。これらの機能部は、実施形態１及び実施形態２で説明した機能部と同様であるので重複した説明を省略する。
【００８８】
画像表示装置１００のＣＰＵ１００ａは、図２の無線ＬＡＮカード１００ｆと協働することで、図１８の送信部１１５として機能する。送信部１１５が、サーバ３００に対してアップロード画像の送信を求めるリクエストを送信すると、受信部１１４は、サーバ３００からアップロード画像の画像情報と、当該アップロード画像のアップロード画像ＩＤとを受信する。その後、受信部１１４は、システム日時を取得し、取得したシステム日時を受信日時とする。次に、受信部１１４は、受信された画像情報で表されるアップロード画像を受信画像とし、アップロード画像ＩＤを、受信画像を識別する情報（以下、受信画像の画像ＩＤ）とする。
【００８９】
図１８の一時記憶部１０４は、図１９に示すような受信画像テーブルを記憶する。受信画像テーブルには、受信画像の画像ＩＤ（以下、受信画像ＩＤという）と、当該受信画像の画像情報（以下、受信画像情報という）と、当該受信画像の表示中に撮像部１０２で撮像した画像からユーザが検出された検出回数（以下、ユーザ検出回数という）を表す情報とが対応付けられて保存されている。
【００９０】
情報入力部１０３は、受信部１１４から受信画像の画像情報（以下、受信画像情報という）と、受信画像の画像ＩＤ（以下、受信画像ＩＤという）と、受信日時を表す情報（以下、受信日時情報という）を入力する。このため、実施形態２と同様に、受信部１１４を画像出力部ＯＴと称する。また、図１８には、画像出力部ＯＴと称される受信部１１４のみが図示されているが、画像表示装置１００は、画像出力部ＯＴと称される他の機能部を備える。
【００９１】
次に、情報入力部１０３は、入力した受信画像情報と、受信画像ＩＤと、検出回数が「０」数であることを表す情報とを、図１９の受信画像テ−ブルへ一時的に保存し、受信日時情報を決定部１０７へ出力する。
【００９２】
次に、図１８の決定部１０７は、情報入力部１０３から出力された受信画像の表示開始タイミングを決定する、図２０に示すような第４決定処理を実行する。
【００９３】
図２０の第４決定処理を開始すると、図１８の決定部１０７は、図１５のステップＳ６１と同様に、情報入力部１０３から出力された受信日時情報で表される受信日時から、所定時間以内のタイミングを表示開始タイミングとし、この表示開始タイミングを、受信画像の次回の表示タイミングとする（ステップＳ７１）。
【００９４】
尚、ステップＳ７１で用いられる所定時間を表す情報は、図２のハードディスク１００ｄなどに予め記憶されている。本実施形態において、ステップＳ７１で用いられる所定時間は、受信画像の表示用に予め定められた時間であり、例えば、「１０」秒であるとして説明するが、これに限定される訳ではなく、当業者は、より好適な値を実験により定めることができる。
【００９５】
ステップＳ７１の後に、決定部１０７は、図１５のステップＳ６２と同様の処理を実行することで、受信画像を所定回数表示したか否かを判別する（ステップＳ７２）。このとき、決定部１０７は、受信画像を所定回数表示していないと判別すると（ステップＳ７２；Ｎｏ）、図１５のステップＳ６３と同様の処理を実行することで、表示タイミングが到来したか否かを判別する（ステップＳ７３）。このとき、決定部１０７は、表示タイミングが到来したと判別すると（ステップＳ７３；Ｙｅｓ）、図１９の受信画像テーブルに保存された情報で表されるユーザ検出回数に基づいて間欠時間を決定する（ステップＳ７４ａ）。具体的には、決定部１０７は、ユーザ検出回数が多い程間欠時間を短くする。ユーザ検出回数が多い画像程、表示頻度を高くするためである。
【００９６】
その後、決定部１０７は、表示タイミングを、システム日時から上記変数の値で表される間欠時間後（又は間欠時間前）のタイミングとした後に（ステップＳ７４ｂ）、ステップＳ７２から上記処理を繰り返す。
【００９７】
ステップＳ７２において、決定部１０７は、受信画像を所定回数表示したと判別すると（ステップＳ７２；Ｙｅｓ）、図１９の受信画像テーブルに保存された情報を削除した後に第４決定処理を終了する。
【００９８】
画像表示装置１００が起動すると、図１８の表示部１１０は、図９と同様の処理を実行することで、スライドショーの実行を開始する。この際、表示部１１０は、表示タイミングが到来したと判別して受信画像の表示を開始すると、ユーザ検出部１０５へ受信画像の表示を開始したことを表す信号（以下、受信画像表示開始信号という）を出力する。その後、表示部１１０は、受信画像の表示を終了すると、ユーザ検出部１０５へ受信画像の表示を終了したことを表す信号（以下、受信画像表示終了信号という）を出力する。
【００９９】
これらの信号を入力するユーザ検出部１０５は、受信画像の表示中に撮像部１０２が撮像した撮像画像からユーザを検出する、図２１に示すようなユーザ検出処理を実行する。
【０１００】
図２１のユーザ検出処理が開始されると、ユーザ検出部１０５は、表示部１１０から入力した信号に基づいて受信画像の表示中か否かを判別する（ステップＳ８１）。具体的には、ユーザ検出部１０５は、受信画像表示開始信号の受信から受信画像表示終了信号の受信までの間を受信画像の表示中と判別する。このとき、受信画像の表示中でないと判別すると（ステップＳ８１；Ｎｏ）、ステップＳ８１から処理を繰り返す。これに対して、受信画像の表示中であると判別すると（ステップＳ８１；Ｙｅｓ）、図６のステップＳ１３及びステップＳ１４のユーザ領域検出処理と同様の処理を実行することで、撮像部１０２から撮像画像を表す画像情報を入力し（ステップＳ８２）、入力された撮像画像からユーザ領域を検出することでユーザを検出する（ステップＳ８３）。その後、ユーザ検出部１０５は、ユーザが検出されたか否かを判別し（ステップＳ８４）、ユーザが検出されなかったと判別すると（ステップＳ８４；Ｎｏ）、ステップＳ８１から上記処理を繰り返す。これにたいして、ユーザが検出されたと判別すると（ステップＳ８４；Ｙｅｓ）、図１９の受信画像テーブルに保存されたユーザ検出回数情報を、当該検出回数情報で表される回数を値「１」だけインクリメントした値を表す情報に更新した後に（ステップＳ８５）、ステップＳ８１に戻り上記処理を繰り返す。
【０１０１】
図１８の送信部１１５は、例えば、１日などの所定周期で、図１９の受信画像テーブルに保存されたユーザ検出回数を表す情報と、受信画像ＩＤとを取得した後に、取得した情報で表されるユーザ検出回数に基づいて当該受信画像ＩＤで識別される画像の評価を決定する。具体的には、送信部１１５は、予め定められた閾値Ｔｈ１を表す情報と閾値Ｔｈ２を表す情報とを、例えば、図２のハードディスク１００ｄから読み出し、ユーザ検出回数が「０」以上閾値Ｔｈ１未満である場合に一つ星の評価と決定し、ユーザ検出回数がＴｈ１以上から閾値Ｔｈ２未満である場合に一つ星よりも評価の高いニつ星の評価と決定し、ユーザ検出回数がＴｈ２以上である場合にニつ星よりも評価の高い三つ星の評価と決定する。その後、送信部１１５は、受信画像の受信画像ＩＤと、当該受信画像の評価を表す評価情報とをサーバ３００へ送信する。
【０１０２】
尚、サーバ３００は、受信画像ＩＤと、評価情報とを受信すると、図１７のアップロード画像テーブルに保存された評価情報であって、受信した受信画像ＩＤと同じアップロード画像ＩＤに対応付けられた評価を表す評価情報を、受信された評価情報で更新する。また、サーバ３００は、更新後の評価情報で表される評価が、更新前の情報で表される評価よりも高い場合には、更新前の評価と更新後の評価との差異に応じて、加算ポイント数を決定する。具体的には、サーバ３００は、更新前の評価よりも更新後の評価が高い程、加算ポイント数を多く決定する。次に、サーバ３００は、受信した受信画像ＩＤと同じアップロード画像ＩＤに対応付けられたポイント数情報を、当該ポイント数情報で表されるポイント数に対して、加算ポイント数を加算した数を表す情報に更新する。
【０１０３】
これらの構成によれば、サーバ３００から受信した受信画像が表示されている間に撮像された撮像画像からユーザが検出された回数に基づいて決定された評価を表す情報を、当該受信画像を識別する画像識別情報（つまり、受信画像ＩＤ）とともにサーバへ送信する。このため、サーバは、送信した画像の内で評価の高い（つまり、ユーザに視認された回数の多い）画像を容易に特定できる。
【０１０４】
これらの構成によれば、サーバ３００は、アップロードされた画像の内で、画像表示装置１００へ送信した画像の評価を表す評価情報を受信すると、受信した評価情報に基づいて当該画像の評価を表す評価情報を更新し、受信した情報で表される評価に基づいて当該画像をアップロードしたユーザの有するポイント数を更新する。このため、サーバ３００は、評価が高いためにユーザに興味を引く画像を容易に特定できるだけでなく、評価の高い画像をアップロードする動機をユーザに与えることができる。
【０１０５】
本実施形態において、画像表示装置１００は、所定の評価よりも高い評価を表す評価情報に対応付けられたアップロード画像の画像情報を受信する構成を採用できる。この構成によれば、画像表示装置１００は、アップロードされた画像の内で、他のユーザの評価が所定の評価よりも高い評価の画像を受信し、受信された画像を表示するので、従来よりも表示される画像が単調になることを防止できる。
【０１０６】
（実施形態４）
次に、本発明の実施形態４について説明する。本実施形態において、画像表示装置１００は、スライドショーの実行中に、ニュースを表すニュース画像又は広告を表す広告画像を表示する。
【０１０７】
本発明の実施形態４に係る画像表示装置１００は、実施形態３の画像表示装置１００と同様に、図１６に示すような画像表示システム１を構成する。この画像表示システム１を構成するサーバ３００は、ニュースを表すニュース画像と、当該ニュースを伝える対象とする視聴者層（以下、対象視聴者層という）を表す情報とを対応付けて記憶している。また、サーバ３００は、広告を表す広告画像と、当該広告の対象とする視聴者層（同様に、対象視聴者層という）を表す視聴者層情報とを対応付けて記憶している。サーバ３００は、画像表示装置１００に対して、広告画像の画像情報と当該広告画像で表される広告の対象視聴者層を表す情報とを送信する。また、サーバ３００は、ニュース画像の画像情報と当該ニュース画像で表されるニュースの対象視聴者層を表す情報とを送信する。
【０１０８】
尚、これらの広告画像及びニュース画像は、ＣＧ（Computer Graphics）、写真、及び絵画のいずれであっても良い。また広告画像及びニュース画像は、静止画像であっても、動画映像であってもＣＦ映像であっても良い。また、サーバ３００は、無償、有償、又は所定のサービスの提供若しくは料金割引を条件として、広告画像の画像情報又はニュース画像の画像情報を送信しても良い。
【０１０９】
さらに、視聴者層は、年齢層と性別とで区分された、「４」歳から「１２」歳の男女が属するＣ層、「１３」歳から「１９」歳の男女が属するＴ層、「２０」歳から「３４」歳の女性が属するＦ１層、「３５」歳から「４９」歳の女性が属するＦ２層、「５０」歳以上の女性が属するＦ３層、「２０」歳から「３４」歳の男性が属するＭ１層、「３５」歳から「４９」歳の男性が属するＭ２層、及び「５０」歳以上の男性が属するＭ３層を含むとして説明するが、これに限定される訳ではない。
【０１１０】
実施形態４の画像表示装置１００は、図２２に示すような撮像部１０２、情報入力部１０３、一時記憶部１０４、ユーザ検出部１０５、ユーザ情報記憶部１０６、決定部１０７、画像情報記憶部１０８、情報取得部１０９、表示部１１０、及び受信部１１４で構成される。これらの機能部は、実施形態１から実施形態３で説明した機能部と同様であるので重複した説明を省略する。
【０１１１】
図２２の受信部１１４は、サーバ３００からニュース画像の画像情報又は広告画像の画像情報と、視聴者層情報とを受信する。その後、受信部１１４は、受信したニュース画像の画像情報又は広告画像の画像情報と、視聴者層情報とを情報入力部１０３へ出力する。このため、受信部１１４を画像出力部ＯＴと称する。尚、図２２には、画像出力部ＯＴと称される受信部１１４のみが図示されているが、画像表示装置１００は、実施形態１で説明した撮像部１０２のような画像出力部ＯＴと称される他の機能部を備える。
【０１１２】
図２２の情報入力部１０３は、受信部１１４からニュース画像の画像情報又は広告画像の画像情報と、視聴者層情報とを入力する。次に、情報入力部１０３は、入力したニュース画像の画像情報又は広告画像の画像情報を、図２２の一時記憶部１０４へ一時的に保存し、視聴者層情報をユーザ検出部１０５へ出力する。
【０１１３】
図２２のユーザ情報記憶部１０６は、図２３に示すような視聴者層テーブルを記憶している。この視聴者層テーブルには、視聴者層を表す視聴者層情報と、当該視聴者層に属するユーザの年齢層を表す情報と、当該視聴者層に属するユーザの性別を表す情報と、当該視聴者層に属するユーザの特徴を表す特徴情報とが対応付けられて保存されている。
【０１１４】
視聴者層情報を入力されるユーザ検出部１０５は、撮像部１０２が撮像した撮像画像から、当該視聴者層情報で表される視聴者層に属するユーザを検出する、図２４に示すようなユーザ検出処理を実行する。
【０１１５】
図２４の予定実行ユーザ検出処理が開始されると、ユーザ検出部１０５は、情報入力部１０３から対象視聴者層を表す情報（以下、対象視聴者層情報という）を取得する。次に、ユーザ検出部１０５は、図２３の視聴者層テーブルから視聴者層情報に基づき特徴情報を取得する（ステップＳ９１）。その後、ユーザ検出部１０５は、撮像部１０２から撮像画像の画像情報（つまり、撮像画像情報）を入力し（ステップＳ９２）、入力された画像情報で表される撮像画像に対して視聴者層検出処理を実行する（ステップＳ９３）。次に、ユーザ検出部１０５は、対象視聴者層のユーザを撮像画像から検出したか否かを判別する（ステップＳ９４）。
【０１１６】
具体的には、ユーザ検出部１０５は、公知のユーザ領域検出処理の実行によって、撮像画像からユーザ領域が検出されたか否かを判別する。このとき、ユーザ検出部１０５は、ユーザ領域が検出されなかったと判別した場合には、対象視聴者層のユーザが検出されなかったと判別する。これに対して、ユーザ検出部１０５は、撮像画像からユーザ領域が検出されたと判別すると、当該検出されたユーザ領域における部分画像を解析することで当該ユーザの特徴を表す特徴情報を取得する。その後、ユーザ検出部１０５は、図２３の視聴者層テーブルから、取得した特徴情報と対応付けられた視聴者層情報を取得し、取得した視聴者層情報がステップＳ９１で入力された視聴者層情報と一致する否かを判別する。このとき、ユーザ検出部１０５は、視聴者層情報が一致しないと判別すると、撮像画像から対象視聴者層のユーザが検出されなかったと判別する。これに対して、ユーザ検出部１０５は、視聴者層情報が一致したと判別すると、撮像画像から対象視聴者層のユーザが検出されたと判別する。
【０１１７】
ステップＳ９４において、ユーザ検出部１０５は、対象視聴者層のユーザを撮像画像から検出しなかったと判別すると（ステップＳ９４；Ｎｏ）、ステップＳ９２へ戻り上記処理を繰り返す。これに対して、ユーザ検出部１０５は、対象視聴者層のユーザを撮像画像から検出したと判別すると（ステップＳ９４；Ｙｅｓ）、図６のステップＳ１６と同様に、ユーザの検出を決定部１０７へ報告した後に（ステップＳ９５）、ステップＳ９２に戻り上記処理を繰り返す。
【０１１８】
図２２の情報入力部１０３は、受信部１１４から出力された広告画像又はニュース画像の表示開始タイミングを決定する、図２５に示すような第５決定処理を実行する。
【０１１９】
図２５の第５決定処理を開始すると、図２２の決定部１０７は、図８のステップＳ２１と同様に、ユーザ検出部１０５から対象視聴者層に属するユーザの検出を報告されたか否かを判別する（ステップＳ１０１）。このとき、決定部１０７は、ユーザの検出を報告されなかったと判別すると（ステップＳ１０１；Ｎｏ）、ステップＳ１０１に戻り上記処理を繰り返す。これに対して、決定部１０７は、ユーザの検出を報告されたと判別すると（ステップＳ１０１；Ｙｅｓ）、システム日時から所定時間以内のタイミングを表示開始タイミングとし、この表示開始タイミングをニュース画像又は広告画像の次回の表示タイミングとする（ステップＳ１０２）。
【０１２０】
尚、ステップＳ１０２で用いられる所定時間を表す情報は、図２のハードディスク１００ｄなどに予め記憶されている。本実施形態において、ステップＳ１０２で用いられる所定時間は、ニュース画像及び広告画像の表示用に予め定められた時間であり、例えば、「１」秒であるとして説明するが、これに限定される訳ではなく、当業者は、より好適な値を実験により定めることができる。
【０１２１】
ステップＳ１０２の後に、決定部１０７は、図１５のステップＳ６２と同様に、広告画像又はニュース画像を所定回数表示したか否かを判別する（ステップＳ１０３）。このとき、決定部１０７は、広告画像又はニュース画像が所定回数表示されていないと判別すると（ステップＳ１０３；Ｎｏ）、表示タイミングが到来したか否かを判別する（ステップＳ１０４）。このとき、決定部１０７は、表示タイミングが到来していないと判別すると（ステップＳ１０４；Ｎｏ）、ステップＳ１０３に戻り上記処理を繰り返す。これに対して、決定部１０７は、表示タイミングが到来したと判別すると（ステップＳ１０４；Ｙｅｓ）、間欠時間を表す値を格納した変数の値を、予め定められたインクリメント値だけインクリメントする（ステップＳ１０５ａ）。時間の経過とともに、広告画像又はニュース画像の表示頻度を低下させるためである。
【０１２２】
尚、ステップＳ１０５ａで用いられる間欠時間を表す値を格納した変数の値は、第５決定処理の開始時において、予め定められた広告画像及びニュース画像用の間欠時間の初期値を表す値で初期化される。この広告画像及びニュース画像用の間欠時間の初期値を表す情報と、広告画像及びニュース画像用のインクリメント値を表す情報は、例えば、図２のハードディスク１００ｄに保存されている。本実施形態において、広告画像及びニュース画像用の間欠時間の初期値は「１０」分であり、予定画像用のデクリメント値は「５」分であるとして説明するが、これに限定される訳ではなく、当業者は、実験により最適な値を定めることができる。
【０１２３】
その後、決定部１０７は、表示タイミングを、システム日時から上記変数の値で表される間欠時間後（又は間欠時間前）のタイミングとした後に（ステップＳ１０５ｂ）、ステップＳ１０３に戻り上記処理を繰り返す。
【０１２４】
ステップＳ１０３において、決定部１０７は、広告画像又はニュース画像を所定回数表示したと判別すると（ステップＳ１０３；Ｙｅｓ）、図２２の一時記憶部１０４に記憶されたニュース画像又は広告画像の画像情報を削除した後に第５決定処理を終了する。
【０１２５】
図２２の表示部１１０は、画像情報記憶部１０８に記憶された画像情報で表される画像であって、スライドショーの対象とされた画像を順次表示するスライドショーを実行する間、表示タイミングが到来すると、当該スライドショーの対象とされた画像の上に、広告画像又はニュース画像を構成する文字画像又はキャラクタ画像を合成された合成画像を表示する。この合成画像は、例えば、時刻表示のように、スライドショーの対象とされた画像の左上若しくは右上に文字画像又はキャラクタ画像を合成した画像、又は、例えば、字幕表示のようにスライドショーの対象とされた画像の下側に文字画像又はキャラクタ画像を合成した画像であって良い。
【０１２６】
これらの構成によれば、広告画像で表される広告の対象とされる視聴者層又はニュース画像で表されるニュースの対象とされる視聴者層が撮像画像から検出されると広告画像又はニュース画像が表示される。このため、広告の対象とされたユーザ又はニュースを伝える対象とされたユーザに対して従来よりも確実に広告できる又はニュースを伝えることができる一方で、当該対象とされていないユーザに対して広告したり、ニュースを伝えたりすることを従来よりも防止できる。また、広告画像又はニュース画像の表示回数が少ないほど、表示頻度が高くなるので、ユーザが見慣れていない広告画像又はニュース画像を優先的に表示できるため、ユーザに対して新鮮味を与えたり、効率的に広告したり、ユーザが知らないニュースを優先的に伝えたりできる。さらに、画像が表示される方向にユーザが位置すれば、ユーザを対象とする広告画像やニュース画像が表示されるので、表示される画像を見る動機をユーザに与えることができる。
【０１２７】
尚、画像表示装置１００は、例えば、電源ＯＦＦの状態であっても、サーバからニュース画像又は広告画像の定期的な配信又はプッシュ受信が行われると、自動的に電源ＯＮの状態に遷移した後に、ニュース画像又は広告画像を間欠的に表示するスライドショーを開始しても良い。また、サーバ３００は、アップロード画像をアップロードしたユーザが使用する端末装置へ、当該アップロード画像の評価情報又は当該ユーザのポイント数情報を送信しても良い。
【０１２８】
（実施形態５）
次に、本発明の実施形態５について説明する。本実施形態において、画像表示装置１００は、スライドショーの実行中に、アプリケーションプログラムの実行により生成されたアプリケーション画像を表示する。
【０１２９】
本発明の実施形態５に係る画像表示装置１００は、実施形態３の画像表示装置１００と同様に、図１６に示すような画像表示システム１を構成する。この画像表示システム１を構成するサーバ３００は、ユーザにアップロードされたアプリケーションプログラム（以下単に、アプリという）を記憶している。サーバ３００は、画像表示装置１００からのリクエストに応じて、アプリケーションプログラムを返信する。
【０１３０】
また、サーバ３００は、図２６に示すようなアプリケーションテーブルを記憶している。このアプリケーションテーブルには、アプリ（つまり、アプリケーションプログラム）と、当該アプリを識別する情報（以下、アプリケーションＩＤという）と、当該アプリの機能を拡張するデータ（以下、拡張データという）と、当該アプリをアップロードしたユーザのユーザＩＤ（以下、アップロードユーザＩＤという）と、当該ユーザのポイント数を表すポイント数情報と、当該アプリの評価を表す評価情報とが対応付けられて保存されている。
【０１３１】
尚、サーバ３００が記憶するアプリは、例えば、フォトフレームの額縁を表示するプログラム、カレンダーを表示するプログラム、時計を表示するプログラム、及び伝言掲示板を表示及び編集するプログラムを含む。また、サーバ３００が記憶するアプリは、例えば、クイズを表示した後に回答を入力してから正否を表示するプログラム、仮想ペットの育成プログラム、人形遊びのプログラム、及び住宅若しくは庭園造りのプログラムなど遊技ゲームのプログラムを含む。
【０１３２】
また、アプリの拡張データは、当該アプリの実行により生成される画像（以下、アプリケーション画像という）の表示態様を変更するデータを含む。具体的には、フォトフレームの額縁を表示するプログラムの拡張データは、フォトフレームの額縁の種類を拡張する（つまり、増やす）データを含み、カレンダー又は時計を表示するプログラムの拡張データは、カレンダー若しくは時計のデザイン又は背景画像の種類を増やすデータを含む。さらに、クイズを表示などするプログラムの拡張データは、クイズ数（つまり、問題数）を増やすデータを含み、仮想ペットの育成プログラム又は人形遊びのプログラムの拡張データは、仮想ペット又は仮想人形の着替え衣装、ヘアスタイル、アクセサリ、若しくは持ち物具の種類を増やすデータを含む。またさらに、住宅若しくは庭園造りのプログラムの拡張データは、家具の種類又は庭園のエクステリア若しくは植物の種類を増やすデータを含む。
【０１３３】
実施形態５の画像表示装置１００は、図２７に示すような撮像部１０２、情報入力部１０３、一時記憶部１０４、ユーザ検出部１０５、決定部１０７、画像情報記憶部１０８、情報取得部１０９、表示部１１０、受信部１１４、送信部１１５で構成される。これらの機能部は、実施形態１から実施形態４で説明した機能部と同様であるので重複した説明を省略する。
【０１３４】
図２７の送信部１１５が、サーバ３００に対してアプリの送信を求めるリクエストを送信すると、受信部１１４は、サーバ３００からアプリ及び当該アプリのアプリケーションＩＤを受信する。その後、受信部１１４は、受信したアプリとアプリケーションＩＤとをアプリケーション画像生成部１１６へ出力する。
【０１３５】
画像表示装置１００のＣＰＵ１００ａは、受信部１１４で受信されたアプリを実行することで、図２７のアプリケーション画像生成部１１６として機能する。アプリケーション画像生成部１１６は、出力されたアプリを実行によりアプリケーション画像を生成し、生成したアプリケーション画像を表す画像情報と、当該アプリのアプリケーションＩＤとを情報入力部１０３へ出力する。このため、アプリケーション画像生成部１１６は、画像出力部ＯＴと称される。尚、図２７には、アプリケーション画像生成部１１６だけでなく、同じく画像出力部ＯＴと称される受信部１１４及び撮像部１０２も図示されているが、画像表示装置１００は、画像出力部ＯＴと称される他の機能部をさらに備える。
【０１３６】
一時記憶部１０４は、図２８に示すようなアプリーション画像テーブルを記憶する。アプリーション画像テーブルには、アプリケーションＩＤと、アプリケーション画像の画像情報（以下、アプリケーション画像情報という）と、表示態様を変更されたアプリケーション画像（以下、変更画像という）の画像情報（以下、変更画像情報という）と、当該変更画像の表示中に撮像部１０２で撮像した画像からユーザが検出された検出回数（つまり、ユーザ検出回数）を表す情報とが対応付けられて保存されている。
【０１３７】
情報入力部１０３は、アプリケーション画像生成部１１６からアプリケーション画像情報と、アプリケーションＩＤとを入力する。次に、情報入力部１０３は、入力したアプリケーション画像情報と、アプリケーションＩＤと、検出回数が「０」数であることを表す情報とを、図２８のアプリケーション画像テ−ブルへ一時的に保存する。
【０１３８】
ユーザ検出部１０５は、図２１のユーザ検出処理と同様の処理を実行することで、アプリケーション画像の表示中に撮像部１０１で撮像された画像からユーザを検出し、図２８のアプリケーション画像テーブルに保存されたユーザ検出回数を表す情報を、当該情報で表されるユーザ検出回数を値「１」インクリメントした回数を表す情報に更新する。
【０１３９】
情報入力部１０３は、アプリケーション画像生成部１１６からアプリケーション画像情報を入力すると、システム日時を取得し、取得したシステム日時をアプリケーション画像の入力日時とする。その後、情報入力部１０３は、入力日時を表す入力日時情報を決定部１０７へ出力する。
【０１４０】
決定部１０７は、不図示の第６決定処理を実行する。第６決定処理を開始すると、決定部１０７は、情報入力部１０３から入力された入力日時情報で表される入力日時から所定時間以内のタイミングを、アプリケーション画像の表示開始タイミングとし、この表示開始タイミングを、アプリケーション画像の次回の表示タイミングとする。その後、図２０のステップ７２からステップ７４ｂの処理を実行した後に、第６決定処理の実行を終了する。
【０１４１】
尚、第６決定処理で用いられる所定時間を表す情報は、図２のハードディスク１００ｄなどに予め記憶されている。本実施形態において、第６決定処理で用いられる所定時間は、アプリケーション画像の表示用に予め定められた時間であり、例えば、「１」秒であるとして説明するが、これに限定される訳ではなく、当業者は、より好適な値を実験により定めることができる。
【０１４２】
図２７の送信部１１５は、例えば、１日などの所定周期で、図２８のアプリケーション画像テーブルに保存されたユーザ検出回数を表す情報と、アプリケーション画像ＩＤとを取得した後に、取得した情報で表されるユーザ検出回数に基づいて当該アプリケーションＩＤで識別されるアプリの評価を決定する。その後、送信部１１５は、アプリケーションＩＤと、当該決定された評価を表す評価情報とをサーバ３００へ送信する。
【０１４３】
サーバ３００は、アプリケーションＩＤと、評価情報とを受信すると、受信したアプリケーションＩＤに対応付けられた評価情報を、受信された評価情報で更新し、更新前の評価と更新後の評価との差異に応じて加算ポイント数を決定する。次に、サーバ３００は、受信したアプリケーションＩＤに対応付けられたポイント数情報を、当該ポイント数情報で表されるポイント数に対して、加算ポイント数を加算した数を表す情報に更新する。
【０１４４】
また送信部１１５は、所定周期で、又はユーザに操作された図２の操作ボタン１００ｉから出力された信号に応じて、サーバ３００に対して拡張データの送信を依頼するリクエストを送信する。具体的には、送信部１１５は、図２８のアプリケーション画像テーブルから、所定回数より大きいユーザ検出回数を表す情報を検索し、検索された情報に対応付けられたアプリケーションＩＤを取得する。次に、送信部１１５は、取得したアプリケーションＩＤと、当該アプリケーションＩＤで識別されるアプリの拡張データの送信を依頼するリクエストとをサーバ３００へ送信する。
【０１４５】
サーバ３００は、アプリケーションＩＤとリクエストとを画像表示装置１００から受信すると、受信したアプリケーションＩＤに対応付けられた拡張データを、図２６のアプリケーションテーブルから検索し、検索された拡張データとアプリケーションＩＤとを画像表示装置１００へ返信する。
【０１４６】
画像表示装置１００の受信部１１４は、拡張データを受信すると、受信した拡張データをアプリケーション画像生成部１１６へ出力する。アプリケーション画像生成部１１６は、出力された拡張データを用いてアプリケーションを実行することで、拡張データを用いずに生成されたアプリケーション画像の表示態様と異なる態様のアプリケーション画像を生成する。具体的には、フォトフレームの額縁を表示するアプリケーションプログラム（つまり、アプリ）を、拡張データを用いて実行することで、拡張データを用いずに生成された額縁を表す画像よりも立派な額縁を表す画像に変更する。また、アプリケーション画像生成部１１６は、拡張データで新たに追加された種類の額縁の内で、ユーザに選択された額縁を、図２の操作ボタン１００ｉから出力された信号に基づいて特定し、特定した額縁を表す画像を生成してもよい。
【０１４７】
同様に、アプリケーション画像生成部１１６は、拡張データで新たに追加されたデザインであって、ユーザに選択されたカレンダー若しくは時計を表すアプリケーション画像を生成しても良いし、拡張データで新たに追加された衣装であって、ユーザに選択された衣装を着た仮想ペット又は仮想人形を表すアプリケーション画像を生成しても良い。
【０１４８】
アプリケーション画像生成部１１６は、拡張データを用いて生成されたアプリケーション画像（つまり、変更画像）の画像情報を、アプリケーションＩＤともに情報入力部１０３へ出力する。情報入力部１０３は、アプリケーション画像生成部１１６からアプリケーションＩＤと、変更画像の画像情報（つまり、変更画像情報）とを入力し、入力したアプリケーションＩＤと、変更画像情報とを、図２８のアプリケーション画像テーブルへ対応付けて保存する。
【０１４９】
図２７の表示部１１０は、画像情報記憶部１０８に記憶された画像情報で表される画像であって、スライドショーの対象とされた画像を順次表示するスライドショーを実行する。表示部１１０は、スライドショーを実行する間、表示タイミングが到来すると、図２８のアプリケーション画像テーブルに変更画像情報が保存されている場合には、変更画像情報で表される変更画像を表示し、変更画像情報が保存されていない場合には、アプリケーション画像情報で表される変更前のアプリケーション画像を表示する。表示部１１０は、変更前のアプリケーション画像及び変更後のアプリケーション画像（つまり、変更画像）を、スライドショーの対象とされた画像とは別個に表示しても良いし、スライドショーの対象とされた画像の上に、アプリケーション画像を合成された合成画像を表示しても良い。
【０１５０】
これらの構成によれば、アプリケーション画像が表示される間に撮像された撮像画像からユーザが検出された回数に応じてアプリケーション画像の表示態様を変更し、変更された表示態様でアプリケーション画像を表示する。このため、ユーザがアプリケーション画像を視認するとアプリケーション画像の表示態様が変更されることがあるため、表示される画像が単調になることを従来よりも防止できるだけでなく、表示されるアプリケーション画像を見る動機をユーザに与えることができる。
【０１５１】
本発明の実施形態１から５は、それぞれ互いに組み合わせることができる。
尚、実施形態１から５に係る機能を実現するための構成を予め備えた画像表示装置１００として提供できることはもとより、プログラムの適用により、既存の画像表示装置を実施形態１から５に係る画像表示装置１００として機能させることもできる。すなわち、実施形態１から５で例示した画像表示装置１００による各機能構成を実現させるための画像表示プログラムを、既存の画像表示装置を制御するコンピュータ（ＣＰＵなど）が実行できるように適用することで、実施形態１から５に係る画像表示装置１００として機能させることができる。
【０１５２】
このようなプログラムの配布方法は任意であり、例えば、メモリカード、ＣＤ−ＲＯＭ、又はＤＶＤ−ＲＯＭなどの記録媒体に格納して配布できる他、インタネットなどの通信媒体を介して配布することもできる。
【０１５３】
また、本発明は、本発明の広義の精神と範囲を逸脱することなく、様々な実施形態及び変形が可能とされるものである。つまり、本発明のいくつかの実施形態を説明したが、上述した実施形態は本発明を説明するためのものであり、本発明の範囲を限定するものではない。本発明の範囲は、実施形態ではなく、特許請求の範囲に記載された発明とその均等の範囲を含む。
以下に本願出願の当初の特許請求の範囲に記載された発明を付記する。
【０１５４】
（付記１）
画像の第一画像情報を記憶する画像情報記憶部と、
前記画像情報記憶部から、前記第一画像情報を取得する情報取得部と、
前記第一画像情報と異なる第二画像情報を出力する画像出力部と、
前記画像出力部から出力された前記第二画像情報を入力する情報入力部と、
前記情報入力部が入力した前記第二画像情報で表される画像の表示が開始される表示開始タイミングを決定する決定部と、
前記情報取得部で取得された前記第一画像情報で表される前記画像を表示するタイミングの前及び後の少なくとも一方である、前記決定部で決定された表示開始タイミングになると、前記情報入力部で入力された前記第二画像情報で表される画像を表示する表示部と、を備える、
ことを特徴とする画像表示装置。
【０１５５】
（付記２）
前記画像出力部は、前記表示部の表示方向に向けて撮像する撮像部を備え、
前記第二画像情報は、前記撮像部が撮像した撮像画像を表す情報を含むことを特徴とする付記１に記載の画像表示装置。
【０１５６】
（付記３）
前記撮像画像からユーザを検出するユーザ検出部をさらに備え、
前記情報入力部は、前記第二画像情報と、前記第二画像情報で表される画像を表示する表示先として指定されたユーザを識別するユーザ識別情報と、を入力し、
前記ユーザ検出部は、前記情報入力部で入力されたユーザ識別情報で識別されるユーザを前記撮像画像から検出し、
前記決定部は、前記ユーザ検出部が前記ユーザ識別情報で識別されるユーザを検出してから所定時間以内のタイミングを、前記表示開始タイミングとする、
ことを特徴とする付記２に記載の画像表示装置。
【０１５７】
（付記４）
前記画像出力部は、前記撮像部が撮像を行う間、伝言音声を収集する音声収集部をさらに備え、
前記情報入力部は、前記音声収集部が収集した音声を表す音声情報と、前記音声が収集されている間において撮像された前記撮像画像表す情報を含む前記第二画像情報と、を入力し、
前記情報入力部が入力するユーザ識別情報で識別されるユーザは、前記音声を聞かせる相手として指定されたユーザでもあり、
前記決定部は、前記音声を聞かせる相手として指定されたユーザが検出されてから所定時間以内のタイミングを、前記音声が収集されている間において撮像された前記撮像画像の表示開始タイミングとし、
前記音声が収集されている間において前記撮像された撮像画像が前記表示部で表示されている間、前記情報入力部で入力された音声情報で表される音声を出力する音声出力部をさらに備える、
ことを特徴とする付記２又は３に記載の画像表示装置。
【０１５８】
（付記５）
ユーザを識別するユーザ識別情報と、当該ユーザの予定を表す予定情報と、当該予定の開始日時を表す開始日時情報と、を対応付けて記憶する予定情報記憶部を備え、
前記画像出力部は、前記予定情報記憶部に記憶された予定情報で表される予定を表す予定画像を生成する予定画像生成部をさらに備え、
前記情報入力部は、前記予定情報記憶部から、当該予定を実行するユーザのユーザ識別情報と、当該予定の開始日時を表す開始日時情報と、を入力し、前記予定画像生成部から、当該予定を表す予定画像の画像情報を入力し、
前記決定部は、前記予定の開始日時から第一時間前までのタイミングであって、前記撮像画像から前記予定を実行するユーザが検出されてから第二時間以内のタイミングを前記予定画像の表示開始タイミングとし、前記予定画像を表示する頻度を、前記予定画像の表示日時が前記予定の開始日時よりも前であり、当該表示日時が当該予定の開始日時に近いほど高く決定する、
ことを特徴とする付記２又は３に記載の画像表示装置。
【０１５９】
（付記６）
前記情報入力部は、インターフォン又は防犯装置から、前記インターフォン又は前記防犯装置が撮像した撮像画像を表す画像情報を入力し、
前記決定部は、前記撮像画像の表示開始タイミングを、前記情報入力部で入力された撮像日時情報で表される撮像日時から所定時間以内のタイミングとし、前記表示部による前記撮像画像の表示日時が、前記情報入力部で入力された撮像日時情報で表される撮像日時から遠くなるほど当該撮像画像が表示される頻度を低く決定する、
ことを特徴とする付記１に記載の画像表示装置。
【０１６０】
（付記７）
前記画像出力部は、前記表示部の表示方向に向けて撮像する撮像部を備え、
前記撮像部が撮像した撮像画像に表されたユーザを検出するユーザ検出部と、をさらに備え、
前記情報入力部は、サーバから受信された画像情報と、前記画像情報を識別する画像識別情報とを入力し、
前記表示部が前記受信画像を表示している間に前記撮像部で撮像された撮像画像から前記ユーザ検出部がユーザを検出した検出回数に基づいて当該受信画像の評価を決定し、当該決定された評価を表す評価情報と、前記受信画像を識別する画像識別情報と、を前記サーバへ送信する送信部をさらに備え、
前記決定部は、前記検出回数が高いほど前記受信画像が表示される頻度を高く決定する、
ことを特徴とする付記１に記載の画像表示装置。
【０１６１】
（付記８）
コンピュータを、
画像の第一画像情報を記憶する画像情報記憶部、
前記画像情報記憶部から、前記第一画像情報を取得する情報取得部、
前記第一画像情報と異なる第二画像情報を出力する画像出力部、
前記画像出力部から出力された前記第二画像情報を入力する情報入力部、
前記情報入力部が入力した前記第二画像情報で表される画像の表示が開始される表示開始タイミングを決定する決定部、
前記情報取得部で取得された前記第一画像情報で表される前記画像を表示するタイミングの前及び後の少なくとも一方である、前記決定部で決定された表示開始タイミングになると、前記情報入力部で入力された前記第二画像情報で表される画像を表示する表示部、として機能させる、
ことを特徴とする画像表示プログラム。
【符号の説明】
【０１６２】
１・・・画像表示システム、１０・・・通信網、１００・・・画像表示装置、１００ａ・・・ＣＰＵ、１００ｂ・・・ＲＯＭ、１００ｃ・・・ＲＡＭ、１００ｄ・・・ハードディスク、１００ｅ・・・メディアコントローラ、１００ｆ・・・無線ＬＡＮカード、１００ｇ・・・ビデオカード、１００ｈ・・・ＬＣＤ、１００ｉ・・・操作ボタン、１００ｊ・・・スピーカ、１００ｋ・・・ＣＭＯＳセンサ、１００ｌ・・・マイクロフォン、１００ｚ・・・バス、１０１・・・音声収集部、１０２・・・撮像部、１０３・・・情報入力部、１０４・・・一時記憶部、１０５・・・ユーザ検出部、１０６・・・ユーザ情報記憶部、１０７・・・決定部、１０８・・・画像情報記憶部、１０９・・・情報取得部、１１０・・・表示部、１１１・・・音声出力部、１１２・・・予定情報記憶部、１１３・・・予定画像生成部、１１４・・・受信部、１１５・・・送信部、１１６・・・アプリケーション画像生成部、２０１・・・インターフォン、２０２・・・セキュリティ装置、ＯＴ・・・画像出力部
【図１】
0005861360.tif 000002
【図２】
0005861360.tif 000003
【図３】
0005861360.tif 000004
【図４】
0005861360.tif 000005
【図５】
0005861360.tif 000006
【図６】
0005861360.tif 000007
【図７】
0005861360.tif 000008
【図８】
0005861360.tif 000009
【図９】
0005861360.tif 000010
【図１０】
0005861360.tif 000011
【図１１】
0005861360.tif 000012
【図１２】
0005861360.tif 000013
【図１３】
0005861360.tif 000014
【図１４】
0005861360.tif 000015
【図１５】
0005861360.tif 000016
【図１６】
0005861360.tif 000017
【図１７】
0005861360.tif 000018
【図１８】
0005861360.tif 000019
【図１９】
0005861360.tif 000020
【図２０】
0005861360.tif 000021
【図２１】
0005861360.tif 000022
【図２２】
0005861360.tif 000023
【図２３】
0005861360.tif 000024
【図２４】
0005861360.tif 000025
【図２５】
0005861360.tif 000026
【図２６】
0005861360.tif 000027
【図２７】
0005861360.tif 000028
【図２８】
0005861360.tif 000029